(57)【要約】【課題】複数の針を基板に立てた針付き鳥忌避具を設置スペースに合わせて大きくすることなく広い設置スペースでも鳥の飛来を防止することができる鳥類飛来防止器を提供する。【解決手段】針４を上方に向けて基板５に間隔をおいて複数本立てて針４の基部を固定した針付き鳥忌避具２と、独立して間隔をおいて複数配置された鳥忌避剤１１を入れる鳥忌避剤入れ容器３とからなり、鳥忌避剤入れ容器３が針付き鳥忌避具２の基板５に沿って連設されている鳥類飛来防止器１である。基板５には基板５を分割する分割溝９を設ける。【選択図】図１
0003176168.tif 000002
【実用新案登録請求の範囲】
【請求項１】
針を上方に向けて基板に間隔をおいて複数本立てて針の基部を固定した針付き鳥忌避具と、独立して間隔をおいて複数配置された鳥忌避剤を入れる鳥忌避剤入れ容器とからなり、
前記鳥忌避剤入れ容器が前記針付き鳥忌避具の基板に沿って連設されていることを特徴とする鳥類飛来防止器。
【請求項２】
前記基板に基板を分割する分割溝が設けられていることを特徴とする請求項1記載の鳥類飛来防止器。
【請求項３】
対向する基板の端部及び対向する鳥忌避剤入れ容器の端部に、横に連結可能な結合用凹凸が形成されていることを特徴とする請求項1又は２に記載の鳥類飛来防止器。
【請求項４】
前記忌避剤が注入された鳥忌避剤入れ容器の開口部が、使用時に剥がすフィルムで蓋がされていることを特徴とする請求項1又は２に記載の鳥類飛来防止器。
【考案の詳細な説明】
【技術分野】
【０００１】
本考案は、ベランダや建物、駅ホーム、高架下、鉄塔などに飛来する鳥が留まらないようにすることによって、鳥の営巣、鳥の鳴き声による騒音被害を防ぐとともに、排泄による糞被害を防止することができる鳥類飛来防止器に関する。
【背景技術】
【０００２】
従来から、鳩、ムクドリなどの鳥が樹木や電柱、ベランダ、建物、駅ホームの梁などに飛来してとまり、鳥の鳴き声による近隣住人対する騒音被害が発生している。また鳩が飛来し、とまった鳩やムクドリなどの鳥が排泄した糞による糞害が生じている。この鳥の飛来による騒音被害や糞害の防止対策として各種の方式の鳥忌避具が提案されている。
【０００３】
例えば、特許文献１〜３には、ピアノ線やステンレス線等の弾性を有する先端が尖った金属線あるいは針を上方に向けて基板に間隔をおいて複数立て、基部を固定した針付きの鳥忌避具が記載されている。この針付きの鳥忌避具はベランダ、建物、駅のホームの梁などの上に設置され、飛来した鳥は針の上に留まることができないことから、鳥を排除することができる。
【先行技術文献】
【特許文献】
【０００４】
【特許文献１】特開昭６０−２４１４２号公報
【特許文献２】特開２０１１−２４５１６号公報
【特許文献３】特開２０１０−０５１３００号公報
【考案の概要】
【考案が解決しようとする課題】
【０００５】
前記特許文献に記載された針付きの鳥忌避具は、建物などに設置した際に、針付きの鳥忌避具の回りに針が達しないスペースがあると、このスペースに鳥が留まるので鳥を排除する効果がなくなるという問題がある。この問題を解決するためには、設置スペースが広い場合には、このスペースに合わせて面積の大きい基板を用意し、これに多くの針を立てる必要があるので、針付きの鳥忌避具を大型化しなくてはならず、コストが上昇するという欠点がある。
【０００６】
そこで、本考案は、複数の針を基板に立てた針付き鳥忌避具を設置スペースに合わせて大きくすることなく広い設置スペースでも鳥の飛来を防止することができる鳥類飛来防止器を提供するものである。
【課題を解決するための手段】
【０００７】
請求項１の考案は、針を上方に向けて基板に間隔をおいて複数本立てて針の基部を固定した針付き鳥忌避具と、独立して間隔をおいて複数配置された鳥忌避剤を入れる鳥忌避剤入れ容器とからなり、前記鳥忌避剤入れ容器が前記針付き鳥忌避具の基板に沿って連設されていることを特徴とする鳥類飛来防止器である。
【０００８】
請求項２の考案は、前記基板に基板を分割する分割溝が設けられていることを特徴とする請求項1記載の鳥類飛来防止器である。
【０００９】
請求項３の考案は、対向する基板の端部及び対向する鳥忌避剤入れ容器の端部に、横に連結可能な結合用凹凸が形成されていることを特徴とする請求項1又は２に記載の鳥類飛来防止器である。
【００１０】
請求項４の考案は、前記忌避剤が注入された鳥忌避剤入れ容器の開口部が、使用時に剥がすフィルムで蓋がされていることを特徴とする請求項1又は２に記載の鳥類飛来防止器である。
【考案の効果】
【００１１】
本考案の鳥類飛来防止器は、針付き鳥忌避具と鳥忌避剤入れ容器を備えているので、針付きの鳥忌避具の回りに鳥が留まることができるスペースがあっても、忌避剤入れ容器に入っている忌避剤により鳥が排除されるので、鳥の飛来防止効果が飛躍的に向上し、その結果、鳥の営巣、鳥の鳴き声による騒音被害を防ぐとともに、排泄による糞被害を防止することができる。
【図面の簡単な説明】
【００１２】
【図１】本考案の鳥類飛来防止器の斜視図である。
【図２】本考案の鳥類飛来防止器を分割した状態を示す斜視図である。
【考案を実施するための形態】
【００１３】
本考案の鳥類飛来防止器の一実施例について図面を参照しながら説明する。
【００１４】
本考案の鳥類飛来防止器１は、針付き鳥忌避具２と、これに連接した鳥忌避剤入れ容器３とで構成される。
【００１５】
針付き鳥忌避具２は、ピアノ線やステンレス線等の弾性を有する先端が尖った金属線あるいは針４を上方に向けて樹脂製の基板５に間隔をおいて複数本立て、針４の基部を固定する。
【００１６】
なお、図1に示す針付き鳥忌避具２は、弾性を有する金属線からなる針４をＶ字形に曲げ、針４を基板５に設けた取り付け台６に設けられた孔７及び１／４円弧状のスリット８に針４を通して基部を９０度回転可能に取り付けた例であり、図２は図１から９０度回転させた状態を示すものである。設置場所のスペースに応じて針４を０〜９０度まで回転させることにより、針４がカバーする範囲を拡げたり狭くしたりして調整することができる。
【００１７】
基板５には、隣り合う取り付け台６の間に、基板５を分割するための分割用溝９が形成されている。図２に示すように、設置場所のスペースに応じて基板５を分割用溝９に沿って分割して狭い場所でも設置できるようにすることができる。
【００１８】
針付き鳥忌避具２の長手方向に沿って複数の鳥忌避剤入れ容器３が連結部材１０により基板５に接着剤、凹凸等の結合手段により連設されている。隣り合う鳥忌避剤入れ容器３は針付き鳥忌避具２の基板を分割する際に、分離できるように独立している。
【００１９】
設置場所のスペースが広い場合には、対向する基板５の端部にそれぞれ形成された結合用の凹凸１２どうし及び、同じく対向する鳥忌避剤入れ容器３の端部に形成された結合用の凹凸１３どうしを嵌合させて横に連結して長く延長することも可能である。
【００２０】
鳥忌避剤入れ容器３及び連結部材１０は、靭性、耐候性、強度などを有する性質を備える例えばポリプロピレン、ポリエチレンあるいはポリカーボネートなどにより一体に成形される。
【００２１】
鳥忌避剤入れ容器３は上部が開放された横断面矩形の箱状の容器に形成されており、忌避剤１１が入れられる。忌避剤１１には、鳥忌避剤入れ容器３内に保持しやすいペースト状あるいはジェル状の忌避剤（たとえば、有限会社あんじん製の（商標名）Ｂ−ＳＴ  バードストップ）を使用することができる。
【００２２】
鳥忌避剤入れ容器３の大きさや数は、設置スペースの長さや広さに応じて調整される。また、忌避剤１１を注入した鳥忌避剤入れ容器３はフィルムを被せて蓋をし、使用時に剥がして使用することで、設置時の手間の軽減、時間の短縮を狙い、汚れを防ぐ効果もある。
【００２３】
本考案の鳥類飛来防止器１は、針付き鳥忌避具２と鳥忌避剤入れ容器３を備えているので、針付きの鳥忌避具２の回りに鳥が留まることができるスペースがあっても、忌避剤入れ容器３に入っている忌避剤１１により鳥が排除されるので、鳥の飛来を防止することができ、その結果、鳥の営巣被害、鳥の鳴き声による騒音被害を防ぐとともに、排泄による糞被害を防止することができる。
【符号の説明】
【００２４】
１：鳥類飛来防止器
２：針付き鳥忌避具
３：鳥忌避剤入れ容器
４：針
５：基板
６：取り付け台
７：孔
８：スリット
９：分割用溝
１０：連結部材
１１：忌避剤
１２：結合用凹凸
１３：結合用凹凸
【図１】
0003176168.tif 000003
【図２】
0003176168.tif 000004